(57)【要約】液体家庭用ケア組成物を製造するプロセスであって、投入材料が、比較的低い予備アルカリ度を有することを特徴とする液体ベース組成物を含む、プロセス。
2021515827.tif 000002
【特許請求の範囲】
【請求項１】
複数の液体家庭用ケア組成物を製造するプロセスであって、前記プロセスは、
ａ．製造システムに第１の投入材料を提供する工程であって、前記第１の投入材料が第１の液体ベース組成物を含み、前記第１の液体ベース組成物が、前記第１の液体ベース組成物の１重量％〜７５重量％の界面活性剤系を含み、前記第１の液体ベースが、２．５％以下の予備アルカリ度を更に特徴とする工程と、
ｂ．前記第１の投入材料を第１のｐＨ調整材料と組み合わせて、第１の家庭用ケア組成物を提供する工程と、
ｃ．前記製造システムに第２の投入材料を提供する工程であって、前記第２の投入材料が、前記第１の液体ベース組成物、第２の液体ベース組成物、又はこれらの混合物を含み、前記第２の液体ベース組成物が、前記第２の液体ベース組成物の１重量％〜７５重量％の界面活性剤系を含み、前記第２の液体ベースが、２．５％以下の予備アルカリ度を更に特徴とする工程と、
ｄ．前記第２の投入材料を前記第１のｐＨ調整材料、第２のｐＨ調整材料、又はこれらの組み合わせと組み合わせて、第２の家庭用ケア組成物を提供する工程と、を含み、
工程ａ及びｂの組み合わせが、工程ｃ及びｄの組み合わせと同一ではない、プロセス。
【請求項２】
前記第２の投入材料が、前記第１の液体ベース組成物を含む、請求項１に記載のプロセス。
【請求項３】
前記第２の投入材料が、前記第２の液体ベース組成物を含む、請求項１又は２に記載のプロセス。
【請求項４】
前記第１の投入材料が、前記製造システム上の第１の容器に提供され、前記第２の投入材料が、前記製造システム上の第２の容器に提供される、請求項１〜３のいずれか一項に記載のプロセス。
【請求項５】
前記第１及び第２の液体ベース組成物の前記界面活性剤系が、それぞれ独立して、アニオン性界面活性剤、非イオン性界面活性剤、双性イオン性界面活性剤、又はこれらの混合物を含む洗浄性界面活性剤を含む、請求項１〜４のいずれか一項に記載のプロセス。
【請求項６】
以下：
前記アニオン性界面活性剤は、直鎖及び／若しくは分枝鎖アルコキシル化アルキルサルフェート、直鎖及び／若しくは分枝鎖アルキルベンゼンスルホネート、又はこれらの混合物から選択される、並びに／あるいは
前記非イオン性界面活性剤は、エトキシル化アルコールを含む、並びに／あるいは
前記双性イオン性界面活性剤は、アミンオキシドを含む、
のうちの少なくとも１つが当てはまる、請求項１〜５のいずれか一項に記載のプロセス。
【請求項７】
前記第１及び／若しくは第２の液体ベース組成物の前記界面活性剤系のうちの少なくとも１つが、主要な界面活性剤成分としてアニオン性アルコキシル化アルキルサルフェートを含む、並びに／又は前記第１及び／若しくは第２の液体ベース組成物の前記界面活性剤系のうちの少なくとも１つが、主要な界面活性剤成分としてアニオン性アルキルベンゼンスルホネートを含む、請求項１〜６のいずれか一項に記載のプロセス。
【請求項８】
前記第１及び／又は第２の液体ベース組成物が、０．１％〜２．２５％、又は０．１％〜２．０％、又は０．１％〜１．５％、又は０．１％〜１．０％の予備アルカリ度を有する、請求項１〜７のいずれか一項に記載のプロセス。
【請求項９】
前記第１のｐＨ調整材料及び／又は前記第２のｐＨ調整材料が、非界面活性剤有機酸、ホウ酸化合物、脂肪酸、アルカノールアミン、苛性水酸化物化合物、炭酸塩、ゼオライト、及びこれらの混合物からなる群から独立して選択される材料を含む、請求項１〜８のいずれか一項に記載のプロセス。
【請求項１０】
前記第１の液体ベース組成物及び／又は前記第２の液体ベース組成物が、好ましくは両方が、少なくとも９、又は９〜１３、又は１０〜１３、又は１１〜１３、又は１１〜１２のｐＨを特徴とする、請求項１〜９のいずれか一項に記載のプロセス。
【請求項１１】
前記第１の家庭用ケア組成物が、第１のｐＨを特徴とし、前記第２の家庭用ケア組成物が、前記第１のｐＨとは異なる第２のｐＨを特徴とし、好ましくは、前記第２のｐＨが、前記第１のｐＨと少なくとも１ｐＨ単位異なる、請求項１〜１０のいずれか一項に記載のプロセス。
【請求項１２】
前記プロセスが、１つ以上の補助剤を、独立して、前記第１の投入材料、前記第２の投入材料、又は両方に添加する、少なくとも１つの追加工程を更に含み、好ましくは、前記１つ以上の補助剤が、構造化剤、ビルダー、有機高分子化合物、酵素、酵素安定剤、漂白系、増白剤、色相剤、キレート剤、抑泡剤、コンディショニング剤、保湿剤、未希釈香料、香料封入体、充填剤若しくは担体、又はこれらの混合物を含む、請求項１〜１１のいずれか一項に記載のプロセス。
【請求項１３】
前記第１の投入材料及び／又は前記第２の投入材料が、第３の液体ベース組成物を更に含み、前記第３の液体ベース組成物が、前記第２の液体ベース組成物の１重量％〜７５重量％の界面活性剤系を含み、前記第３の液体ベース組成物が、２％以下の予備アルカリ度を更に特徴とし、前記第３の液体ベース組成物が、前記第１及び第２の液体ベース組成物と組成的に異なる、請求項１〜１２のいずれか一項に記載のプロセス。
【請求項１４】
前記第１及び第２の家庭用ケア組成物が、独立して、洗濯洗剤組成物、布地前処理組成物、布地柔軟剤組成物、食器ケア組成物、又はこれらの組み合わせから選択される、請求項１〜１３のいずれか一項に記載のプロセス。
【請求項１５】
前記プロセスから製造される前記複数の液体家庭用ケア組成物が、前記プロセスで使用される液体ベース組成物ごとに少なくとも３つ、好ましくは少なくとも４つ、より好ましくは少なくとも５つの家庭用ケア組成物を含む、請求項１〜１４のいずれか一項に記載のプロセス。
【発明の詳細な説明】
【技術分野】
【０００１】
本開示は、液体家庭用ケア組成物の製造プロセスに関する。
【背景技術】
【０００２】
消費者製品の製造業者は、典型的には、様々な消費者のニーズ又は要望を満足させるために様々な組成物を製造する。様々な組成物は、洗濯洗剤又は食器ケア製品などの特定の製品カテゴリー内に存在することさえある場合がある。製品は、界面活性剤の濃度、界面活性剤の種類、添加される補助剤、審美性、ｐＨなどの１つ以上の手段で差異化される。製品は、１つ以上のベース組成物から生産することができ、これに、有益剤、安定剤などを含む追加成分を添加してよい。従来、このようなベース組成物は、安定性及び品質保証上の理由から特定のｐＨに緩衝される。典型的な緩衝剤としては、クエン酸及び／又はその塩、脂肪酸及び／又はその塩、並びに炭酸塩が挙げられる。
【０００３】
資本及び空間を節約するために、共有の製造設備を使用して異なる製品を生産することが望ましい場合がある。しかしながら、第１の製品の製造によって、製造システムに残留物が残り、これが第２の製品に混入する可能性がある。これは、特に、ベース組成物が緩衝剤などのｐＨ調整材料を含む場合に課題となることがある。このような剤が後で製造される製品に混入する場合、残留物の濃度は予測不可能であり、時間と共に濃度が変化するため、後で製造される製品の組成及びｐＨを正確に制御することは困難であり得る。製品の操業と操業との間に製造設備を洗い流すこともできるが、洗い流し工程は余分な時間を要し、追加の廃棄物が生じることがある。
【発明の概要】
【発明が解決しようとする課題】
【０００４】
特に共有の製造設備で、家庭用ケア組成物などの複数の消費者製品組成物を製造するためのプロセスを改善する必要性が存在する。
【課題を解決するための手段】
【０００５】
本開示は、複数の液体家庭用ケア組成物を製造するためのプロセスに関する。
【０００６】
例えば、プロセスは、（ａ）製造システムに第１の投入材料を提供する工程であって、当該第１の投入材料が第１の液体ベース組成物を含み、当該第１の液体ベース組成物が、当該第１の液体ベース組成物の約１重量％〜約７５重量％の界面活性剤系を含み、当該第１の液体ベースが、約２．５％以下の予備アルカリ度を更に特徴とする工程と、（ｂ）当該第１の投入材料を第１のｐＨ調整材料と組み合わせて、第１の家庭用ケア組成物を提供する工程と、（ｃ）製造ラインに第２の投入材料を提供する工程であって、当該第２の投入材料が、当該第１の液体ベース組成物、第２の液体ベース組成物、又はこれらの混合物を含み、当該第２の液体ベース組成物が、当該第２の液体ベース組成物の約１重量％〜約７５重量％の界面活性剤系を含み、当該第２の液体ベースが、約２．５％以下の予備アルカリ度を更に特徴とする工程と、（ｄ）当該第２の投入材料を当該第１のｐＨ調整材料、第２のｐＨ調整材料、又はこれらの組み合わせと組み合わせて、第２の家庭用ケア組成物を提供する工程と、を含み得、工程（ａ）及び（ｂ）の組み合わせは、工程（ｃ）及び（ｄ）の組み合わせと同一ではない。
【図面の簡単な説明】
【０００７】
本明細書の図面は、事実上例示的なものであり、限定的であることを意図したものではない。
【図１】第１の液体ベース組成物を第１のｐＨ調整材料と組み合わせる、本開示によるプロセスを示す。
【図２】第１の液体ベース組成物を第２のｐＨ調整材料と組み合わせる、本開示によるプロセスを示す。
【図３】第１の液体ベース組成物を第１のｐＨ調整材料と組み合わせる、本開示によるプロセスを示す。
【図４】第２の液体ベース組成物を第２のｐＨ調整材料と組み合わせる、本開示によるプロセスを示す。
【図５】第１の液体ベース組成物及び第３の液体ベース組成物を第１のｐＨ調整材料及び第２のｐＨ調整材料と組み合わせる、本開示によるプロセスを示す。
【図６】第１の液体ベース組成物及び第３の液体ベース組成物を第１のｐＨ調整材料及び第２のｐＨ調整材料と組み合わせる、本開示によるプロセスを示す。
【発明を実施するための形態】
【０００８】
本開示は、共有の製造システムで液体家庭用ケア組成物などの複数の液体消費者製品を製造するプロセスに関する。このプロセスは、まず、例えば緩衝が限定的な類似のｐＨの適合性ベース液を配合し、次いで、第２段階プロセスで、最適なベース（又は複数のベース）を最適なｐＨ調整材料と組み合わせることに関する。ベース及びｐＨ調整材料の種類、量、及び組み合わせ、更には、添加される追加の補助剤を選択することによって、製造システムで様々な組成物を効率的に製造することができる。
【０００９】
出発液体ベース組成物は、比較的低い緩衝能及び／又は比較的低い予備アルカリ度（Reserve Alkalinity、「ＲＡ」）を特徴とし得る。プロセスの比較的後期に投入材料のｐＨを調整することによって、より高い製造柔軟性が得られ、ベース材料が低いＲＡを有する場合、典型的には、組成物を所望のｐＨに調整するために必要なｐＨ調整材料が少なくなる。また、ｐＨ調整材料がプロセスの比較的後期に添加されるので、製造システムへの材料の混入が少なくなり、その結果、洗い流しが比較的少なくなる及び／又は製造がより予測可能になる。最後に、低ＲＡのベース組成物を提供することにより、ベース組成物同士の適合性を改善することができ、その結果、ベースのより多くの組み合わせを容易に製造することができ、より多様な最終製品が得られる。
【００１０】
更に、例えば安定性の目的のために、最終製品組成物とは異なるｐＨのベース組成物を処方することが望ましい場合がある。しかしながら、ベース組成物のｐＨを調整すると、緩衝したときに、より多くの材料が取り込まれ、予測可能性が低下する可能性がある。理論に束縛されるものではないが、比較的低いＲＡを有するようにベース組成物を処方すると、貯蔵中の安定性が改善され、製品製造プロセス中のｐＨ調整が容易になる。
【００１１】
本開示のプロセス及び組成物については、以下により詳細に説明する。
【００１２】
本明細書で使用するとき、特許請求の範囲で使用される場合の冠詞「ａ」及び「ａｎ」は、特許請求又は記載されているもののうちの１つ以上を意味すると理解される。本明細書で使用するとき、用語「含む（include）」、「含む（includes）」、及び「含んでいる（including）」は、非限定的であることを意味する。本開示の組成物は、本開示の成分を含み、それらから本質的になり、又はそれらからなることができる。
【００１３】
本明細書では、「実質的に含まない（substantially free of）」又は「実質的に含まない（substantially free from）」という用語が使用されてもよい。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する組成物を含むことを意味する。指示される材料は、あったとしても、組成物の１重量％未満、又は０．１重量％未満、又は０．０１重量％未満、又は更には０重量％の濃度で存在してもよい。
【００１４】
本明細書で使用するとき、語句「表面ケア組成物」は、表面を処理するのに好適な組成物を意味する。処理される好適な表面は、洗濯される物品を含む布地などの織物；食器（ガラス食器及び平皿を含む）、調理台、タイル及び他の硬質床板、並びに洗面台、トイレ、及びバスタブ／シャワーなどの浴室設備などの硬質表面；毛髪、及び皮膚を含み得る。表面ケア組成物は、布地ケア組成物、食器ケア組成物、硬質表面洗浄組成物、ヘアケア組成物、スキンケア組成物、又はこれらの混合物を挙げることができる。
【００１５】
本明細書で使用するとき、語句「布地ケア組成物」は、布地処理用に設計された組成物及び配合物を含む。このような組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地処理剤、アイロン助剤、単位用量配合物、遅延送達配合物、多孔性基材若しくは不織布シート上又は中に含有される洗剤、及び本明細書の教示を考慮すると当業者に明白であり得るその他の好適な形態を含むが、これらに限定されない。このような組成物を、洗濯前処理剤、洗濯後処理剤として使用してもよい、又は洗濯操作のすすぎ若しくは洗浄周期中に加えてもよい。
【００１６】
本明細書で使用するとき、「予備アルカリ度」は、以下の試験方法の章に記載の方法に従って求めたとき、強酸を用いてｐＨ１１からｐＨ３までバルク溶液を滴定するのに必要なモル数に等しい水酸化ナトリウムの質量分率を指す。理論によって制限されるものではないが、予備アルカリ度の測定値は、組成物のアルカリ化力、すなわち、純水又は蒸留水ではなく水道水で大幅に希釈して添加したときに、組成物が目標のアルカリ性洗浄ｐＨを提供する能力の最も優れた尺度であることが見出されている。
【００１７】
本明細書で使用するとき、「ｐＨ」は、試験方法の章に記載の方法に従って求められる。
【００１８】
本明細書で使用するとき、用語「ｐＨ調整材料」は、組成物に添加されると、得られる混合物のｐＨが変化する及び／又は緩衝される材料である。ｐＨ調整材料は、緩衝剤を含んでいてよく、これは弱酸又は弱塩基を含み得る。本明細書で使用するとき、ｐＨ調整材料は、化合物の混合物を含んでいてよい。この用語は、酸形態であるか又は塩形態であるかにかかわらず、アニオン性界面活性剤を含むことを意図するものではない。
【００１９】
本明細書で使用するとき、「組成的に異なる」は、少なくとも２つの組成物のそれぞれの化学的構成が同一ではないことを意味し、これは、異なる材料が添加される及び／又は異なる量の同じ材料が添加される（一方には材料が添加されるが他方には添加されないことを含む）ことに起因するものであり得る。
【００２０】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００２１】
本明細書における全ての温度は、特に断らない限り、摂氏（℃）である。特に指示がない限り、本明細書における全ての測定は、２０℃及び大気圧下で行われる。
【００２２】
本開示の全ての実施形態において、全ての比率（％）は、特に別途記載のない限り、全組成物の重量に対するものである。特に別途記載のない限り、全ての比率は重量比である。
【００２３】
本明細書の全体をとおして与えられる全ての最大数値限定は、それよりも小さい全ての数値限定を、かかるより小さい数値限定があたかも本明細書に明確に記載されているかのように含むものと理解すべきである。本明細書の全体をとおして与えられる全ての最小数値限定は、それよりも高い全ての数値限定を、かかるより高い数値限定があたかも本明細書に明確に記載されているかのように含む。本明細書の全体をとおして与えられる全ての数値範囲は、かかるより広い数値範囲内に含まれるより狭い全ての数値範囲を、かかるより狭い数値範囲があたかも全て本明細書に明確に記載されているかのように含む。
【００２４】
製造方法
本開示は、液体家庭用ケア組成物などの複数の液体組成物を製造するプロセスに関する。一般に、このプロセスは、液体ベース組成物を製造システムに提供する工程と、当該組成物をｐＨ調整材料と組み合わせる工程と、家庭用ケア組成物などの最終製品を形成する工程と、を含み得る。典型的には、液体ベース組成物は、約２．５％以下などの比較的低い予備アルカリ度を特徴とする。液体ベース組成物のうちの１つ以上は、液体ベース組成物の約１重量％〜約７５重量％の濃度で存在する界面活性剤系を含んでいてよい。
【００２５】
複数の液体ベース組成物が提供されてもよく、また、１つ以上のｐＨ調整材料が提供されてもよい。異なる組み合わせ及び／又は濃度の液体ベース組成物及びｐＨ調整材料を選択することによって、共有の製造システムで複数の最終製品を効率的に製造することができる。
【００２６】
図１に概略的に示すとおり、プロセスは、第１の液体ベース組成物１０（「ＬＢ」＝液体ベース）を提供することを含み得る。第１の液体ベース組成物１０は、製造システム１に提供される第１の投入材料１５の一部であってもよい。第１の投入材料１５は、例えば合流ゾーン４において、第１のｐＨ調整材料２０（「ｐＨ−Ａ」＝ｐＨ調整材料）と組み合わせてよい。製造システム１は、混合ゾーン２を含んでいてもよく、そこで、第１の投入材料１０及び第１のｐＨ調整材料２０をより完全に混合することができる。任意の好適な点で、補助成分３０を製造システム１に添加してよい。第１の最終製品（「ＦＰ」＝最終製品）、例えば第１の家庭用ケア組成物４０を形成することができる。
【００２７】
図２に概略的に示すとおり、プロセスは、製造システム１に第２の投入材料１６を提供することを含み得る。第２の投入材料１６は、第１の液体ベース組成物１０を含んでいてよい。第２の投入材料１６を第２のｐＨ調整材料２１と組み合わせてよく、補助材料３０を任意の好適な点で添加してよい。第２の最終製品、例えば第２の家庭用ケア組成物４１を形成することができる。
【００２８】
本開示の製造システム１は、所望の最終製品を製造するのに好適な任意のシステムを含んでいてよい。本開示のプロセスは、共有の製造設備で複数の製品を製造するのに好適である。製造システム１は、閉鎖された中央パイプ、バッチタンクなどの混合容器、コンベアシステム、又はこれらの組み合わせを含んでいてよい。第１の投入材料１５を、製造システム１の第１の容器に提供してよく、第２の投入材料１６を、製造システム１の第２の容器に提供してよい。容器は、例えばコンベアシステムで搬送されるなど、製造システムの一部として移動可能であってよい、及び／又は異なる経路で独立して移動可能であってよい。容器は、個々の消費者に販売するのに好適であり得、例えば、容器は、約０．５Ｌ〜約１０Ｌの容積を有していてよい。
【００２９】
図３及び４に概略的に示すとおり、プロセスは、第１の液体ベース組成物１０を含んでいてよい第１の投入材料１５を製造システム１に提供することを含み得る。第１の投入材料１５を第１のｐＨ調整材料２０と組み合わせて、第１の家庭用ケア組成物４０などの第１の最終製品を形成することができる。プロセスは、第２の液体ベース組成物１１を含んでいてよい第２の投入材料１６を同じ製造システム１に提供することを更に含み得る。第２の投入材料１６を第２のｐＨ調整材料２１と組み合わせて、第２の家庭用ケア組成物４１などの第２の最終製品を形成することができる。
【００３０】
最終製品を形成するときに、１つを超える液体ベース組成物及び／又は１つを超えるｐＨ調整材料を製造システムに添加してもよい。例えば、図５に概略的に示すとおり、第１の投入材料１５は、第１の液体ベース組成物１０及び第３の液体ベース組成物１２を含んでいてよい。第１の投入材料１５は、第１のｐＨ調整材料２０及び第２のｐＨ調整材料２１と組み合わされる。プロセスの結果、第１の家庭用ケア組成物４０などの最終製品が得られる。第３の液体ベース組成物１２は、第１の投入１５及び／又は第２の投入１６の一部であってもよい。第３の液体ベース組成物１２は、第１の液体ベース組成物１０及び／又は第２の液体ベース組成物１１と組み合わせてもよい。第３のｐＨ調整材料２２を、第１及び／又は第２の投入材料１５、１６に添加してもよい。
【００３１】
本開示のプロセスでは、異なる製品を形成するために、類似の材料を異なる比率及び／又は量で組み合わせてもよい。例えば、図６は、図５に類似するプロセスを概略的に示し、ここでは、第１の液体ベース組成物１０及び第３の液体ベース組成物１２を組み合わせて投入材料（図６では、第２の投入材料１６）を形成し、これを第１及び第２のｐＨ調整材料２１、２２と組み合わせる。しかしながら、図５のプロセスと比較して、比較的多量の第３の液体ベース組成物１２及び第２のｐＨ調整材料２１（より太い矢印１００、１０１によって表される）がシステム１に添加され、第１の家庭用ケア組成物４０とは異なる第２の家庭用ケア組成物４１が形成される。
【００３２】
プロセスは、本明細書に記載のプロセスの任意の好適な点で補助成分３０を添加する工程を含み得る。例えば、補助成分３０は、第１のｐＨ調整材料２０が第１の投入材料１５に添加される前、最中、及び／又は後に添加されてよい。補助剤は、ｐＨ調整材料が第２の投入材料１６に添加される前、最中、及び／又は後に添加されてよい。
【００３３】
限られた数の液体ベース組成物１０、１１、１２、ｐＨ調整材料２０、２１、２２、及びこれらの組み合わせが図に示されているが、本開示のプロセスは、任意の好適な数及び変形のいずれも含むことができる。限定することを意図するものではないが、以下の実施例の章では、追加の組み合わせについて論じる。
【００３４】
複数の家庭用ケア組成物、例えば、第１の家庭用ケア組成物４０及び第２の家庭用ケア組成物４１は、独立して、布地ケア組成物、食器ケア組成物、硬質表面洗浄剤組成物、ヘアケア組成物、スキンケア組成物、又はこれらの混合物などの液体表面ケア組成物であってよい。本開示の液体洗剤組成物は、布地ケア組成物、食器ケア組成物、又はこれらの混合物、好ましくは布地ケア組成物、より好ましくはヘビーデューティー液体洗濯洗剤であってよい。食器ケア組成物は、手洗い及び／又は自動食器洗浄機での洗浄に好適な食器ケア組成物であってよい。
【００３５】
本プロセスの工程及び組成物については、以下でより詳細に説明する。
【００３６】
ベース組成物
本プロセスは、第１、第２、及び／又は第３の液体ベース組成物１０、１１、１２などの１つ以上の液体ベース組成物を提供する工程を含み得る。液体ベース組成物の成分は、最終的な家庭用ケア組成物（複数可）などの最終製品に含めるのに好適である。
【００３７】
液体ベース組成物は、所望の得られる家庭用ケア組成物の量に対して任意の好適な容積として提供され得る。例えば、容積は、１本のボトル（例えば、１リットル）を充填するのに十分であってもよく、又は製造システム１を１日間以上フル操業させるのに十分であってもよい（例えば、１０００ｓリットル以上）。
【００３８】
液体ベース組成物は、以下に提供される試験方法に従って求められるｐＨによって特徴付けることができる。液体ベース組成物は、独立して、塩基性ｐＨ、例えば少なくとも約７．５のｐＨを特徴とし得る。ベース組成物、例えば、第１の液体ベース組成物及び／又は第２の液体ベース組成物は、少なくとも約９、又は約９〜約１３、又は約１０〜約１３、又は約１１〜約１３、又は約１１〜約１２のｐＨを特徴とし得る。安定性の理由から、比較的高いｐＨを有する液体ベース組成物が好ましい場合がある。例えば、このような組成物は、追加の防腐剤を必要としない場合がある。
【００３９】
液体ベース組成物は、以下に提供される試験方法の章で求めたとき、比較的低い予備アルカリ度（「ＲＡ」）値を特徴とし得る。液体ベース組成物は、約２．５％以下、又は約０．１％、若しくは約０．２％〜約２．５％、若しくは２．２５％、若しくは約２．０％、若しくは約１．５％、若しくは約１．０％、若しくは約０．８％、若しくは約０．６％のＲＡ値を特徴とし得る。
【００４０】
液体ベース組成物は、実質的に緩衝されなくてもよい。液体ベース組成物は、クエン酸、酢酸、乳酸、ホウ酸誘導体、脂肪酸、アルカノールアミン（モノエタノールアミン又はトリエタノールアミンなど）、苛性水酸化物化合物（例えば、ＮａＯＨ）、炭酸塩、ゼオライト、又はこれらの混合物などの緩衝剤を実質的に含んでいなくてもよい。本明細書で使用するとき、液体ベース組成物は、本界面活性剤の酸形態を中和するのに必要な量で存在する化合物以外の緩衝剤を実質的に含んでいなくてもよい。
【００４１】
液体ベース組成物は、界面活性剤系を含んでいてよく、これは、洗浄性界面活性剤を含んでいてよい。ベース組成物は、当該ベース組成物の約１重量％、又は約５重量％、又は約１０重量％、又は約１５重量％、又は約２０重量％から、任意選択で約７５重量％、又は約６０重量％、又は約５０重量％、又は約４０重量％までの界面活性剤系を含み得る。
【００４２】
洗浄性界面活性剤は、アニオン性界面活性剤、非イオン性界面活性剤、カチオン性界面活性剤、双性イオン性界面活性剤、両性界面活性剤、両性電解質界面活性剤、及びこれらの混合物から選択してよい。当業者であれば、洗浄性界面活性剤が、汚れた材料に洗浄、染み除去、又は洗濯の効果をもたらす任意の界面活性剤又は界面活性剤の混合物を包含することを理解するであろう。本明細書で使用するとき、脂肪酸及びその塩は、界面活性剤系の一部であると理解されるが、このような材料をｐＨ調整材料として使用してもよい。
【００４３】
洗浄性界面活性剤は、アニオン性界面活性剤を含み得る。アニオン性界面活性剤は、ベース組成物中に存在する全ての界面活性剤のうち最も高い割合で存在してよい。好適なアニオン性界面活性剤の非限定例としては、任意の従来のアニオン性界面活性剤が挙げられる。これは、例えばアルコキシル化及び／又は非アルコキシル化アルキルサルフェート材料用のサルフェート洗浄性界面活性剤、及び／又はスルホン酸系洗浄性界面活性剤、例えばアルキルベンゼンスルホネートを含んでもよい。好適なアニオン性界面活性剤は、再生可能資源、廃棄物、石油、又はこれらの混合物に由来し得る。好適なアニオン性界面活性剤は、直鎖、部分的に分枝鎖、分枝鎖、又はこれらの混合物であってよい。
【００４４】
アニオン性界面活性剤は酸形態で存在してもよく、酸形態は中和されて界面活性剤塩を形成してもよい。典型的な中和剤としては、水酸化物、例えば、ＮａＯＨ又はＫＯＨなどの金属対イオン塩基が挙げられる。酸形態のアニオン性界面活性剤の更なる好適な中和剤としては、アンモニア、アミン、又はアルカノールアミンが挙げられる。アルカノールアミンの非限定的な例としては、モノエタノールアミン、ジエタノールアミン、トリエタノールアミン、及び当該技術分野において既知の他の直鎖又は分枝鎖アルカノールアミンが挙げられる。好適なアルカノールアミンとしては、２−アミノ−１−プロパノール、１−アミノプロパノール、モノイソプロパノールアミン、又は１−アミノ−３−プロパノールが挙げられる。アミン中和は完全又は部分的に行われてもよく、例えば、アニオン性界面活性剤混合物の一部はナトリウム又はカリウムにより中和されてもよく、またアニオン性界面活性剤混合物の一部はアミン又はアルカノールアミンにより中和されてもよい。
【００４５】
洗浄性界面活性剤は、非イオン性界面活性剤を含み得る。好適な非イオン性界面活性剤としては、アルコキシル化脂肪族アルコールが挙げられる。非イオン性界面活性剤は、式Ｒ（ＯＣ２Ｈ４）ｎＯＨのエトキシル化アルコール及びエトキシル化アルキルフェノールから選択され得、式中、Ｒは、約８個〜約１５個の炭素原子を含有する脂肪族炭化水素ラジカル、及びアルキル基が約８個〜約１２個の炭素原子を含有するアルキルフェニルラジカルからなる群から選択され、ｎの平均値は、約５〜約１５である。
【００４６】
本明細書で有用な非イオン性界面活性剤のその他の非限定例としては、Ｃ８〜Ｃ１８アルキルエトキシレート（ＳｈｅｌｌからのＮＥＯＤＯＬ（登録商標）非イオン性界面活性剤など）、アルコキシレート単位がエチレンオキシ単位、プロピレンオキシ単位、又はこれらの混合物であり得る、Ｃ６〜Ｃ１２アルキルフェノールアルコキシレート、Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分枝状アルコール（branched alcohols、ＢＡ）；Ｃ１４〜Ｃ２２中鎖分枝状アルキルアルコキシレート（ＢＡＥｘ、式中、ｘは１〜３０である）；アルキル多糖類；具体的にはアルキルポリグリコシド；ポリヒドロキシ脂肪酸アミド、並びにエーテルキャップ化ポリ（オキシアルキル化）アルコール界面活性剤が挙げられる。
【００４７】
洗浄性界面活性剤は、カチオン性界面活性剤を含み得る。カチオン性界面活性剤の非限定的な例としては、四級アンモニウム界面活性剤が挙げられ、これは２６個以下の炭素原子を有し得、アルコキシレート四級アンモニウム（ＡＱＡ）界面活性剤；ジメチルヒドロキシエチル四級アンモニウム；ジメチルヒドロキシエチルラウリルアンモニウムクロリド；ポリアミンカチオン性界面活性剤；カチオン性エステル界面活性剤；及びアミノ界面活性剤、例えば、アミドプロピルジメチルアミン（ＡＰＡ）が挙げられる。好適なカチオン性洗浄性界面活性剤としてはまた、アルキルピリジニウム化合物、アルキル四級アンモニウム化合物、アルキル四級ホスホニウム化合物、アルキル三級スルホニウム化合物、及びこれらの混合物も挙げられる。好適なカチオン性洗浄性界面活性剤は、モノ−Ｃ６〜１８アルキルモノ−ヒドロキシエチルジメチル四級アンモニウムクロリドである。非常に好適なカチオン性洗浄性界面活性剤は、モノ−Ｃ８〜１０アルキルモノ−ヒドロキシエチルジメチル四級アンモニウムクロリド、モノ−Ｃ１０〜１２アルキルモノ−ヒドロキシエチルジメチル四級アンモニウムクロリド、及びモノ−Ｃ１０アルキルモノ−ヒドロキシエチルジメチル四級アンモニウムクロリドである。
【００４８】
洗浄性界面活性剤は、双性イオン性界面活性剤を含み得る。双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双性イオン性界面活性剤の好適な例としては、アルキルジメチルベタイン及びココジメチルアミドプロピルベタイン、Ｃ８〜Ｃ１８（例えば、Ｃ１２〜Ｃ１８）アミンオキシド、並びにアルキル基がＣ８〜Ｃ１８であってよいＮ−アルキル−Ｎ，Ｎ−ジメチルアミノ−１−プロパンスルホネートなどのスルホ及びヒドロキシベタインを含む、ベタインが挙げられる。好適なアミンオキシドは、アルキルジメチルアミンオキシド又はアルキルアミドプロピルジメチルアミンオキシド、より好ましくはアルキルジメチルアミンオキシド、特にココジメチルアミンオキシドを含み得る。
【００４９】
洗浄性界面活性剤は、両性界面活性剤を含み得る。両性界面活性剤の例としては、二級若しくは三級アミンの脂肪族誘導体、又は脂肪族ラジカルが直鎖状若しくは分枝鎖状であってよく、かつ脂肪族置換基のうちの１つが少なくとも約８個の炭素原子若しくは約８〜約１８個の炭素原子を含有し、脂肪族置換基のうちの少なくとも１つがアニオン水溶性基、例えば、カルボキシ、スルホネート、サルフェートを含有するヘテロ環式二級及び三級アミンの脂肪族誘導体が挙げられる。好適な両性界面活性剤としては、サルコシネート、グリコシネート、タウリネート、及びこれらの混合物も挙げられる。
【００５０】
第１及び第２の液体ベース組成物の界面活性剤系は、独立して、アニオン性界面活性剤、非イオン性界面活性剤、双性イオン性界面活性剤、又はこれらの混合物を含む洗浄性界面活性剤を含む。以下：（ａ）アニオン性界面活性剤は、直鎖及び／若しくは分枝鎖アルコキシル化アルキルサルフェート、直鎖及び／若しくは分枝鎖アルキルベンゼンスルホネート、又はこれらの混合物から選択される、（ｂ）非イオン性界面活性剤は、エトキシル化アルコールを含む、並びに／あるいは（ｃ）双性イオン性界面活性剤は、アミンオキシドを含む、のうちの少なくとも１つが当てはまり得る。（ａ）、（ｂ）、及び（ｃ）のうちの２つ以上、又は更には全てが当てはまり得る。
【００５１】
第１及び／又は第２の液体ベース組成物の界面活性剤系のうちの少なくとも１つは、主要な界面活性剤成分として、アルキルエトキシル化サルフェート（alkyl ethoxylated sulfate、ＡＥＳ）などのアニオン性アルコキシル化アルキルサルフェートを含んでいてよい。第１及び／又は第２の液体ベース組成物の界面活性剤系のうちの少なくとも１つは、主要な界面活性剤成分として、直鎖アルキルベンゼンスルホネート（linear alkyl benzene sulfonate、ＬＡＳ）などのアニオン性アルキルベンゼンスルホネートを含んでいてよい。第１の液体ベース組成物の界面活性剤系は、主要な界面活性剤成分としてアニオン性アルコキシル化アルキルサルフェート（例えば、ＡＥＳ）を含んでいてよく、第２の液体ベース組成物の界面活性剤系は、主要な界面活性剤成分としてアニオン性アルキルベンゼンスルホネート（例えば、ＬＡＳ）を含んでいてよい。本明細書で使用するとき、「主要な界面活性剤成分」は、存在する他の界面活性剤に比べて最大の重量で界面活性剤系中に存在する界面活性剤を意味する。主要な界面活性剤成分は、必ずしも過半数として（例えば、５０重量％超）存在するわけではない。
【００５２】
液体ベース組成物は、水、非アミノ官能性溶媒、ポリマー、及び／又は追加の補助成分などの他の成分を含んでいてよい。
【００５３】
液体ベース組成物は、水、例えば、当該液体ベース組成物の約１０重量％、又は約２０重量％、又は約２５重量％、又は約３５重量％、又は約４０重量％、又は約５０重量％〜約８０重量％、又は約７５重量％、又は約７０重量％、又は約６０重量％、又は約５０重量％の水を含み得る。液体ベース組成物は、２５％超の水、又は約２５％〜約５０％の水、又は約５０％〜約７０％の水を含んでいてよい。
【００５４】
液体ベース組成物は、非アミノ官能性有機溶媒を含んでいてよい。本明細書で使用するとき、「非アミノ官能性有機溶媒」は、アミノ官能基を含まない任意の好適な有機溶媒を指す。好適な非アミノ官能性有機溶媒としては、一価アルコール、二価アルコール、多価アルコール、グリセロール、グリコール、ポリエチレングリコールなどのポリアルキレングリコール、及びこれらの混合物を挙げることができる。本開示の組成物は、以下：エタノール、プロパノール、ブタノール、イソプロパノールなどの低級脂肪族アルコール；１，２−プロパンジオール又は１，３−プロパンジオールなどのジオール；及びグリセロールのうちの２つ以上の混合物などの溶媒の混合物を含み得る。本開示の組成物は、プロパンジオールを含むが、メタノール及び／又はエタノールを含まない溶媒を含んでいてよい。非アミノ官能性有機溶媒は、周囲の温度及び圧力（すなわち、２１℃及び１気圧）で液体であってよく、炭素、水素及び酸素を含んでいてよい。非アミノ官能性有機溶媒はまた、本プロセスに従って補助成分として添加されてもよい。
【００５５】
液体ベース組成物は、アルコキシル化ポリエチレンイミン（polyethylenimine、ＰＥＩ）ポリマーなどのポリマーを含んでいてよい。このようなポリマーは、最終製品組成物に性能効果を提供することができるだけでなく、液体ベース組成物において溶媒様の効果を提供することもできる。好適なポリマーとしては、ＰＥＩ６００  ＥＯ２０（ＢＡＳＦ製）が挙げられる。
【００５６】
液体ベース組成物は、以下に記載するように、追加の補助成分を含んでいてよい。液体ベース組成物は、緩衝剤（中和された界面活性剤に使用される剤以外）、酵素、香料、封入有益剤、審美染料、色相染料、増白剤、乳白剤、又はこれらの混合物を実質的に含んでいなくてもよいが、その理由は、このような材料（複数可）を含まないことにより、液体ベース組成物の安定性及び／又は最終製品の処方柔軟性を支援することができるためである。
【００５７】
液体ベース組成物は、複数の洗剤を製造する本プロセスの開始前に、部分的に又は完全に調製し、貯蔵しておいてよい。例えば、液体ベース組成物は、第１及び／又は第２の緩衝剤組成物と組み合わせる工程の前に、少なくとも６時間、又は少なくとも１２時間、又は少なくとも１８時間、又は少なくとも２４時間、例えば、貯蔵タンク内に貯蔵してよい。液体ベース組成物は、ベース組成物（複数可）をｐＨ調整組成物（複数可）と組み合わせる前に、インラインプロセス中に製造されてもよい。液体ベース組成物は、貯蔵した後、ベース組成物（複数可）をｐＨ調整組成物（複数可）と組み合わせる前に、補助成分を添加することによって後で改質してもよい。
【００５８】
液体ベース組成物は、貯蔵タンク内に貯蔵した後、例えば、１本以上のパイプを介して送り込むことによって、製造システム１に輸送してよく、そこで、ベース組成物が緩衝組成物（複数可）と組み合わされる。第１及び／又は第２の液体ベース組成物１０、１１の第１及び第２の量は、それらが第１及び第２のｐＨ調整材料２０、２１とそれぞれ組み合わされる場所まで同じ経路（例えば、パイプ）を移動してもよい（例えば、図１及び図２を参照）。
【００５９】
ｐＨ調整材料
本プロセスは、１つ以上のｐＨ調整材料を、１つ以上の液体ベース組成物を含んでいてよい投入材料に添加する工程を含み得る。
【００６０】
本プロセスは、第１の投入材料１５を第１のｐＨ調整材料２０と組み合わせる工程を含んでいてよい。第１のｐＨ調整材料２０は、第１の緩衝剤を含み得る。第１の緩衝剤は、第１の家庭用ケア組成物４０の所望のｐＨに応じて、酸性ｐＨ又は塩基性ｐＨで組成物を緩衝するのに好適であり得る。
【００６１】
本プロセスは、第２の投入材料１６を第１のｐＨ調整材料２０、第２のｐＨ調整材料２１、又はこれらの組み合わせと組み合わせる工程を含んでいてよい。第２のｐＨ調整材料組成物２１は、第２の緩衝剤を含んでいてよい。第２の緩衝剤は、第２の家庭用ケア組成物４１の所望のｐＨに応じて、酸性ｐＨ又は塩基性ｐＨで組成物を緩衝するのに好適であり得る。
【００６２】
第１及び／又は第２の緩衝剤は、非界面活性剤有機酸；ホウ酸化合物；脂肪酸；アルカノールアミン；苛性水酸化物化合物；炭酸塩；ゼオライト；又はこれらの混合物からなる群から選択してよい。
【００６３】
好適な非界面活性剤有機酸としては、クエン酸、酢酸、及び／又は乳酸を挙げることができる。
【００６４】
本明細書で使用するとき、「ホウ酸化合物」は、ホウ酸を含む化合物であるか、又は溶液中にホウ酸を提供することができる化合物である。ホウ酸化合物は、所望の製品組成物に含めるのに好適な任意の化合物であってよい。ホウ酸化合物としては、ホウ酸、ホウ酸誘導体、ボロン酸、ボロン酸誘導体、及びこれらの組み合わせを挙げることができる。ホウ酸誘導体としては、化合物の少なくとも一部がホウ酸又はその化学的等価物として溶液中に存在するホウ素含有化合物が挙げられる。好適なホウ酸誘導体としては、ＭＥＡボレート（すなわち、モノエタノールアミンボレート）、ホウ砂、酸化ホウ素、四ホウ酸十水和物、四ホウ酸五水和物、アルカリ金属ホウ酸塩（例えば、オルト−、メタ−、及びピロホウ酸ナトリウム、並びに五ホウ酸ナトリウム）、及びこれらの混合物が挙げられる。好適なボロン酸としては、フェニルボロン酸、エチルボロン酸、３−ニトロベンゼンボロン酸、又はこれらの混合物を挙げることができる。
【００６５】
好適な脂肪酸としては、約１０〜約２２個の炭素原子を有する脂肪酸を挙げることができる。好適な脂肪酸は、飽和又は不飽和であり、例えば植物若しくは動物性エステル（例えば、パーム油、ココヤシ油、ババス油、ベニバナ油、トール油、ヒマシ油、タロー及び魚油、グリース、並びにこれらの混合物）などの天然資源から得ることもでき、又は例えば、石油の酸化を介して若しくはフィッシャートロプシュ法を介した一酸化炭素の水素添加によって合成的に調製することもできる。本開示の組成物における使用に好適な飽和脂肪酸の例としては、カプリン酸、ラウリン酸、ミリスチン酸、パルミチン酸、ステアリン酸、アラキジン酸及び／又はベヘン酸を挙げることができる。好適な不飽和脂肪酸種としては、パルミトレイン酸、オレイン酸、リノール酸、リノレン酸、及び／又はリシノール酸を挙げることができる。脂肪酸は、脂肪酸の混合物を含んでいてよい。
【００６６】
好適なアルカノールアミンとしては、モノエタノールアミン（monoethanolamine、ＭＥＡ）、ジエタノールアミン、トリエタノールアミン（triethanolamine、ＴＥＡ）、又はこれらの混合物を挙げることができる。
【００６７】
好適な苛性水酸化物化合物としては、アルカリ金属水酸化物、アルカリ土類金属水酸化物、水酸化アンモニウム、又はこれらの混合物を挙げることができる。苛性水酸化物化合物は、水酸化ナトリウム、水酸化カリウム、又はこれらの混合物を含んでいてよい。苛性水酸化物化合物は、比較的低い緩衝能を有することが意図される組成物に好ましい場合がある。
【００６８】
好適な炭酸塩としては、アルカリ金属炭酸塩、アルカリ土類金属炭酸塩、炭酸アンモニウム、又はこれらの混合物を挙げることができる。炭酸塩としては、炭酸ナトリウム、炭酸カリウム、炭酸マグネシウム、炭酸カルシウム、又は炭酸アンモニウムを挙げることができる。
【００６９】
第１及び第２の緩衝剤は、互いに異なっていてよい。第１及び第２の緩衝剤の一方（例えば、第１の緩衝剤）は、組成物の酸性ｐＨへの緩衝に好適であり得、第１及び第２の緩衝剤の他方（例えば、第２の緩衝剤）は、組成物の塩基性ｐＨへの緩衝に好適であり得る。第１及び第２の緩衝剤の一方は、クエン酸、酢酸、乳酸、又はこれらの混合物からなる群から選択してよく、第１及び第２の緩衝剤の他方は、ホウ酸化合物、アルカノールアミン（ＭＥＡなど）、脂肪酸、又はこれらの混合物からなる群から選択してよい。
【００７０】
第１のｐＨ調整材料２０は、得られた混合物を所望のｐＨに緩衝するのに好適な量で第１の投入材料１５と組み合わせてよい。例えば、約１重量部〜約２５重量部の第１のｐＨ調整材料２０を、約１００重量部の第１の投入材料１５と組み合わせてよい。十分な量の第１のｐＨ調整材料２０を第１の投入材料２０と組み合わせて、第１の家庭用ケア組成物４０において、第１の家庭用ケア組成物４０の約１重量％〜約２５重量％の、第１の家庭用ケア組成物４０中第１の緩衝剤を提供することができる。
【００７１】
第２のｐＨ調整材料２１は、得られた混合物を所望のｐＨに緩衝するのに好適な量で第２の投入材料１６と組み合わせてよい。例えば、約１部〜約２５部の第２のｐＨ調整材料２１を、約１００部の第２の投入材料１６と組み合わせてよい。十分な量の第２のｐＨ調整材料２１を第２の投入材料１６と組み合わせて、第２の家庭用ケア組成物４１において、第２の家庭用ケア組成物４１の約１重量％〜約２５重量％の、第２の家庭用ケア組成物４１中第２の緩衝剤を提供することができる。
【００７２】
添加されるｐＨ調整材料の相対量は、例えば、ベース組成物及び／又は投入材料のＲＡ値、使用される緩衝剤、並びに得られる家庭用ケア組成物の所望の最終ｐＨに依存する。表１は、最終組成物において特定の目標ｐＨを達成するために、特定のベース組成物に添加される例示的な緩衝剤及び推定量を提供する。
【００７３】
【表１】
2021515827.tif 000003
＊最終組成物の重量による緩衝剤（酸及び塩形態の両方を含む）の活性％として測定される、約０．５のＲＡ値及び約１１の初期ｐＨを有する液体ベース組成物に添加される推定量
【００７４】
ｐＨ調整材料は、緩衝剤に加えて追加の補助剤を含んでいてよい。例えば、ｐＨ調整材料は、界面活性剤、有機溶媒、ポリマー、安定剤、水、及びこれらの混合物を含んでいてよい。
【００７５】
第１及び第２のｐＨ調整材料２０、２１は、それぞれ第１及び第２の投入材料１５、１６と任意の好適な方法で組み合わせてよい。例えば、一方又は両方の組み合わせ工程は、バッチプロセスの一部として実施されてもよく、例えばバッチタンク内で組み合わされてもよい。一方又は両方の組み合わせ工程は、連続インラインプロセスの一部として実施されてもよい。
【００７６】
組み合わせ工程は、連続インラインプロセスの一部であってもよい。第１の液体ベース組成物１０を含んでいてよい第１の投入材料１５は、合流ゾーン４の上流にある領域５から合流ゾーン４に輸送、例えば、パイプを通して送り込まれ得る。第１の投入材料１５は、合流ゾーン４において第１のｐＨ調整材料２０と組み合わせてよく、その結果、合流ゾーン４の下流の領域６において第１の家庭用ケア組成物４０を得ることができる。第１の及び／又は第２の液体ベース組成物１０、１１を含んでいてよい第２の投入材料１６は、合流ゾーン５の上流にある領域５から合流ゾーン４に輸送、例えば、パイプを通して送り込まれてよく；この工程の合流ゾーンは、第１の投入材料１５及びｐＨ調整材料が組み合わされる／組み合わされた工程の合流ゾーンと同一でも異なっていてもよい（例えば、第２の合流ゾーン）。第２の投入材料１６は、合流ゾーン４において第２のｐＨ調整材料２１と組み合わせてよく、その結果、合流ゾーン４の下流の領域６において第２の家庭用ケア組成物４１を得ることができる。
【００７７】
投入材料をｐＨ調整材料と組み合わせる工程では、中和熱に起因して熱エネルギーが発生することがある。本プロセスの利点は、低い予備アルカリ度を有するベース組成物で出発することにより、これらの組み合わせ工程によって発生するエネルギーの量が比較的少ないことである。ベース組成物は比較的緩衝されないため、ｐＨ調整材料を添加する及び／又は混合物を所望のｐＨにするプロセス中に生じる中和反応が比較的少なく、したがって、比較的低いレベルのエネルギーが発生し、放出されると考えられる。
【００７８】
投入材料、ｐＨ調整材料、又は両方は、組み合わされるときに周囲温度であってよい。投入材料及びｐＨ調整材料を組み合わせる工程は、得られるバルク溶液中で生じる温度上昇が約２℃未満であり得る。本開示のプロセスにおける温度変化を制御するために、外部熱交換器を必要ともせず、望ましくもないことがあり得る。
【００７９】
組み合わせ工程に続いて、得られた投入材料とｐＨ調整材料との混合物を、例えば静的ミキサ３で混合してよい。１つ以上の混合工程は、合流ゾーン（複数可）４の下流であってよい１つ以上の混合ゾーン２で行ってよい。混合ゾーン（複数可）２は、１つ以上の静的ミキサ３を含んでいてよい。補助成分３０は、混合ゾーン３の上流又は下流に添加してよい。
【００８０】
上述のように、また、図１及び２並びに図３及び４に概略的に示すとおり、組み合わせ工程は、同じ製造システム１で行ってよい。
【００８１】
図示されていないが、本開示はまた、異なる最終製品を形成するために、異なる製造システムに液体ベース組成物及びｐＨ調整材料を提供することも想到する。低ＲＡ液体ベース組成物は、異なる製造システムであっても、組成物の製造の柔軟性に寄与する。例えば、第１の液体ベース組成物１０を含む第１の投入材料１５を第１の製造システムに提供し、第１のｐＨ調整材料２０と組み合わせて、第１の家庭用ケア組成物４０を提供することができ、第１の液体ベース組成物１０、第２の液体ベース組成物１１、又はこれらの混合物を含む第２の投入材料１６を第２の製造システムに提供し、同じ又は異なるｐＨ調整材料と組み合わせて、第２の家庭用ケア組成物４１を提供することができる。低ＲＡの第１の液体ベース組成物の第１の部分を、第１の製造システムにおいて第１のｐＨ調整材料と組み合わせて、第１の家庭用ケア組成物を形成することができ、第１の液体ベース組成物の第２の部分を、第２の製造システムにおいて第２のｐＨ調整材料と組み合わせて、第２の家庭用ケア組成物を形成することができる。
【００８２】
製造システム１は、第１の組み合わせ工程と第２の組み合わせ工程との間に及び／又は第１の投入材料１５の提供と第２の投入材料１６の提供との間に、流体によって洗い流されてもよい。流体は、水又は水溶液などの水性流体であってよい。システムを洗い流すために使用される流体は、液体ベース組成物、好ましくは第２の投入材料中に存在するものを含んでいてよい。このようにして、製造システムは、古い投入材料が洗い流され、新しい投入材料で「プライミング」される。典型的には、システムを洗い流すために使用される流体は、本明細書に記載のｐＨ調整材料及び／又は緩衝剤を含まない。水が、有用かつ費用効率が高い場合もあり、少なくともいくつかの状況では、システム内の残留水が、後で製造される製品を希釈し、それによって品質管理に影響を及ぼす場合があるため、あまり好ましくない場合もある。
【００８３】
システムを洗い流すために使用される流体の少なくとも一部は、後の製造操作において家庭用ケア組成物を製造するために使用される１つ以上の液体ベース組成物に捕捉され、ブレンドされてもよく、それによって、廃棄物が減少する。
【００８４】
組み合わせ工程は、異なる容器内で行ってもよく、これは、それぞれ第１のボトル及び第２のボトルなどの最終製品容器であってよい。異なる容器が、コンベアシステムに提供されてもよい。組み合わせ工程は、同じノズルにおいて行ってもよく、又はそれぞれ第１のノズル及び第２のノズルなどの異なるノズルにおいて行ってもよい。容器は、液体ベース組成物を最初に受容してもよく、又はｐＨ調整材料を最初に受容してもよい。容器は、例えば、少なくとも２つの流れを実質的に同時に注入することによって、液体ベース組成物及びｐＨ調整材料を実質的に同時に受容することができる。分注された容積及び／又は分注速度に応じて、２つ以上の流れは、非同時に開始及び／又は停止してもよい。
【００８５】
容器（例えば、第１及び第２のボトル）内の組成物は、例えば容器／ボトルを振盪及び／又は回転させることによって、組み合わせの最中又は後に混合してもよい。組み合わせ工程で生じた乱流により十分な混合を提供することができること、並びに／あるいは当業者が適切な変数、例えば、ベース組成物、第１の及び／若しくは第２のｐＨ調整材料、並びに／又は家庭用ケア組成物のボトルへの流量を調節して、十分な混合を提供することができることが理解される。
【００８６】
最終組成物
本開示のプロセスは、家庭用ケア組成物を含む液体消費者製品などの複数の液体組成物を製造するのに有用である。開示されるプロセスによって提供される柔軟性により、比較的限られた数の液体ベース組成物から比較的多数の製品を効率的に製造することができる。開示されるプロセスから製造される複数の液体家庭用ケア組成物は、プロセスで使用される液体ベース組成物ごとに少なくとも３つ、好ましくは少なくとも４つ、より好ましくは少なくとも５つの家庭用ケア組成物を含み得る。
【００８７】
最終製品は、少なくとも部分的に、液体ベース組成物を含有していてよい第１の投入材料１５をｐＨ調整材料と組み合わせることによって製造され得る。第１の投入材料１５を第１のｐＨ調整材料２０と組み合わせる工程の結果、第１の液体家庭用ケア組成物４０を得ることができる。第２の投入材料１６をｐＨ調整材料と組み合わせる工程の結果、第２の液体家庭用ケア組成物４１を得ることができる。
【００８８】
第１及び／又は第２の液体家庭用ケア組成物４０、４１は、布地ケア組成物、食器ケア組成物、硬質表面洗浄組成物、ヘアケア組成物、スキンケア組成物、又はこれらの混合物などの表面ケア組成物であってよい。第１及び／又は第２の液体家庭用ケア組成物４０、４１は、布地ケア組成物、食器ケア組成物、又はこれらの混合物であってよい。液体家庭用ケア組成物は、液体洗濯洗剤などの布地ケア組成物であってよい。
【００８９】
第１の液体家庭用ケア組成物４０及び第２の液体家庭用ケア組成物４１は、それぞれ独立して、ｐＨによって特徴付けられ得る。第１の液体家庭用ケア組成物のｐＨ（すなわち、第１のｐＨ）は、第２の液体家庭用ケア組成物のｐＨ（すなわち、第２のｐＨ）と異なっていてもよい。
【００９０】
第１のｐＨは、第２のｐＨと少なくとも約１ｐＨ単位だけ異なっていてもよい。換言すれば、以下のとおりである。
｜第１のｐＨ−第２のｐＨ｜≧１
【００９１】
第１のｐＨは、第２のｐＨと少なくとも約１、又は少なくとも約２、又は少なくとも約３、又は少なくとも約４、又は少なくとも約５ｐＨ単位だけ異なっていてよい。第１のｐＨは、第２のｐＨと約１、又は約２、又は約３、又は約４〜約１０、又は約８、又は約６、又は約５だけ異なっていてよい。
【００９２】
第１及び第２のｐＨは、両方とも塩基性であってよい（すなわち、７を超える）。第１及び第２の家庭用ケア組成物の一方は、酸性ｐＨを特徴とし得、第１及び第２の家庭用ケア組成物の他方は、塩基性ｐＨを特徴とし得る。第１及び第２の家庭用ケア組成物の少なくとも一方は、約２、又は約２．５、又は約３〜約６．５、又は約６、又は約５、又は約４のｐＨを特徴とし得る。第１及び第２の家庭用ケア組成物の少なくとも一方は、約７．５〜約１１、又は約７．５〜約１０、又は約７．５〜約９、又は約７．５〜約８．５のｐＨを特徴とし得る。
【００９３】
本開示のプロセスは、酸性ｐＨを有する家庭用ケア組成物を製造することが望ましい場合に特に有用であり得る。低（酸性）ｐＨを有する組成物は、炭素鋼及び／又はステンレス鋼などの製造設備において一般的に使用される材料に対する負の金属学的効果の原因となり得る。本プロセスでは比較的後期にｐＨ調整剤を投入材料に添加してよいので、低ｐＨ組成物が機器と接触するのを、比較的短い期間及び／又は比較的短い距離にすることができる。したがって、負の効果を最小限に抑えることができる、又はより容易に対処することができる。
【００９４】
本開示の家庭用ケア組成物は、予備アルカリ度によって特徴付けることができる。家庭用ケア組成物のＲＡは、家庭用ケア組成物を調製するために使用された少なくとも１つの液体ベース組成物よりも高くてよく、好ましくは全ての液体ベース組成物よりも高くてよい。家庭用ケア組成物のＲＡは、約２．０％超、又は約２．５％超、又は約３％超、又は約４％超、又は約５％超であり得る。
【００９５】
本開示の第１及び／又は第２の家庭用ケア組成物４０、４１は、追加の補助成分３０を含んでいてよい。これらの成分は、提供されたときに液体ベース組成物１０、１１、１２中に存在してもよく、又は本明細書に記載のプロセス中に添加されてもよい。例えば、補助成分３０は、ｐＨ調整材料２０、２１、２２をベース組成物と組み合わせる前、最中、又は後に添加されてよい。例えば、図３〜６は、ｐＨ調整材料をベース組成物と組み合わせる前又は後に補助成分３０を任意選択で添加してよいことを概略的に示す。
【００９６】
本プロセスは、それぞれ第１及び第２の家庭用ケア組成物４０、４１になる異なる混合物に異なる補助成分３０を添加することを含んでいてよい。異なる補助剤の添加は、それらが異なる効果を提供するように及び／又は異なる審美性を含むように、製品を差異化することが望ましい。加えて、第１及び第２の家庭用ケア組成物４０、４１のｐＨが異なる場合、補助剤も同様に少なくとも部分的に異なっていてよい。例えば、第１のｐＨで適合性（例えば、安定及び／又は有効）である特定の補助剤を、第１の家庭用ケア組成物４０に添加してよく、第２のｐＨと適合性がある他の補助剤を第２の家庭用ケア組成物４１に添加してよい。酵素はｐＨ感受性であることが知られており、両方ではなく一方の組成物に添加してもよく、又は第１のｐＨと適合性のある第１の酵素を第１の家庭用ケア組成物４０に添加してよく、及び／又は第２のｐＨと適合性のある第２の酵素を第２の家庭用ケア組成物４１に添加してもよい。
【００９７】
本プロセスの任意の好適な点で、記載される家庭用ケア組成物の最終形態及び意図される最終用途に好適な任意の補助剤成分３０を添加してよい。補助成分３０は、性能効果を提供するのに好適なレベルで添加してよい。補助成分３０は、本開示の組成物中に、個々に又は合計で、当該組成物の約０．００００１重量％、又は約０．０００１重量％、又は約０．００１重量％、又は約０．０１重量％、又は約０．１重量％、又は約１重量％〜約５０重量％、又は約４０重量％、又は約３０重量％、又は約２０重量％、又は約１５重量％、約１０重量％、又は約８重量％、又は約６重量％、又は約５重量％、又は約４重量％、又は約３重量％、又は約２重量％、又は約１重量％の濃度で存在し得る。補助成分３０は、組成物の約０．００１重量％〜約１０重量％の濃度で存在し得る。
【００９８】
本明細書に記載される液体家庭用ケア組成物は、以下の非限定的な成分のリストのうちの１つ以上を含み得る：布地ケア有益剤；洗浄性酵素；沈着助剤；レオロジー変性剤；ビルダー；キレート剤；漂白剤、漂白剤（bleaching agent）；漂白剤前駆体；漂白促進剤；漂白触媒；未希釈香料及び／又は封入香料；香料充填ゼオライト；デンプン封入アコード；ポリグリセロールエステル；ホワイトニング剤；真珠光沢剤；酵素安定剤系；アニオン性染料の定着剤を含む除去薬、アニオン性界面活性剤の錯化剤、及びこれらの混合物；光学増白剤又は蛍光剤；汚れ放出ポリマー及び／又は汚れ懸濁ポリマーを含むがこれらに限定されないポリマー；分散剤；消泡剤；非水性溶媒；脂肪酸；泡抑制剤、例えばシリコーン泡抑制剤；カチオンデンプン；スカム分散剤；直接染料；着色剤；乳白剤；酸化防止剤；トルエンスルホネート、クメンスルホネート及びナフタレンスルホネートなどのヒドロトロープ；色斑；着色ビーズ、球体、又は押出物；粘土柔軟化剤、抗菌剤。追加的又は代替的に、組成物は、界面活性剤、第四級アンモニウム化合物、及び／又は溶剤系を含んでもよい。第四級アンモニウム化合物は、布地柔軟剤などの布地増強組成物中に存在してもよく、正電荷を有する多原子イオンの構造ＮＲ４＋（Ｒはアルキル基又はアリール基である）である第四級アンモニウムカチオンを含む。
【００９９】
本明細書に開示される組成物は、構造化剤、ビルダー、有機ポリマー化合物、酵素、酵素安定剤、漂白系、増白剤、色相剤、キレート剤、抑泡剤、コンディショニング剤、保湿剤、未希釈香料、封入体（例えば、香料マイクロカプセル）、充填剤又は担体、及びこれらの混合物からなる群から選択される補助剤を含んでいてよい。本開示の組成物は、封入体、未希釈香料、酵素、布地色相剤、コンディショニング剤、布地増強ポリマー、パールエッセンス剤、乳白剤、又はこれらの混合物から選択される補助剤を含んでいてよい。
【０１００】
本開示の組成物は、例えば、成分を定位置に「固定」することによって、本組成物の不均質性を維持するのに有用であり得る構造化剤又は増粘剤を更に含んでいてもよい。構造化剤はまた、安定性を維持する及び／又は有益剤を懸濁させるのに有用であり得る。好適な構造化剤／増粘剤としては、結晶性グリセリド（例えば、硬化ヒマシ油又はその誘導体）などの非高分子結晶性ヒドロキシル官能性材料を挙げることができる。
【０１０１】
本開示のプロセスは、ベース組成物（複数可）を第１及び／又は第２のｐＨ調整材料（複数可）と組み合わせた後に、例えば合流ゾーン４の下流で特定の補助成分を添加して、最終家庭用ケア組成物（複数可）を得る、１つ以上の仕上げ工程を含んでいてよい。例えば、仕上げ工程は、未希釈香料及び／又は審美的染料などの審美的成分を添加することを含んでいてよい。仕上げ工程は、封入された有益剤、例えば、香料封入体を添加することを含んでいてよく、封入有益剤を添加する前又は後、好ましくは後に、構造剤を添加してよい。仕上げ工程は、家庭用ケア組成物を、例えば静的ミキサ３で混合することを含んでいてよい。本開示の製造プロセスは、複数の混合工程を含んでいてよい。本開示の製造システム１は、１つを超える静的ミキサ３などの１つを超える混合ゾーン２を含んでいてよい。
【０１０２】
第１及び／又は第２の家庭用ケア組成物４０、４１は、当該組成物の少なくとも約５０重量％、又は少なくとも約６０重量％、又は少なくとも約７０重量％、又は少なくとも約７５重量％、又は少なくとも約８０重量％の水を含み得る。
【０１０３】
本開示のプロセスは、充填工程を含んでいてよい。充填工程は、家庭用ケア組成物の少なくとも一部を容器に入れることを含み得る。容器は、貯蔵容器、輸送容器、又はボトル若しくはバッグなどの消費者に販売するのに好適な容器であってよい。箱に入った又はパレット上の複数のボトルなど、輸送用に複数の容器を束ねてもよい。
【０１０４】
使用方法
本プロセスによって製造される家庭用ケア組成物は、既知の方法に従ってその意図される最終用途のために使用され得る。例えば、布地ケア組成物は、例えば、水及び布地ケア組成物の一部を含む洗浄液と布地を接触させることによって、布地を処理するために使用することができる。食器洗浄組成物は、食器などを水と食器洗浄組成物との水性混合物と接触させることによって、例えば、汚れた食器、ガラス食器、及び／又は平皿を処理するために使用することができる。手動及び自動（例えば、好適な機械を用いる）処理プロセスが、本開示によって想到される。
【０１０５】
組み合わせ
本開示の具体的に想到される組み合わせを、本明細書で以下のアルファベットを付した項に記載する。これらの組み合わせは、事実上例示的なものであり、限定的であることを意図したものではない。
Ａ．複数の液体家庭用ケア組成物を製造するプロセスであって、当該プロセスは、（ａ）製造システムに第１の投入材料を提供する工程であって、当該第１の投入材料が第１の液体ベース組成物を含み、当該第１の液体ベース組成物が、当該第１の液体ベース組成物の約１重量％〜約７５重量％の界面活性剤系を含み、当該第１の液体ベースが、約２．５％以下の予備アルカリ度を更に特徴とする工程と、（ｂ）当該第１の投入材料を第１のｐＨ調整材料と組み合わせて、第１の家庭用ケア組成物を提供する工程と、（ｃ）当該製造システムに第２の投入材料を提供する工程であって、当該第２の投入材料が、当該第１の液体ベース組成物、第２の液体ベース組成物、又はこれらの混合物を含み、当該第２の液体ベース組成物が、当該第２の液体ベース組成物の約１重量％〜約７５重量％の界面活性剤系を含み、当該第２の液体ベースが、約２．５％以下の予備アルカリ度を更に特徴とする工程と、（ｄ）当該第２の投入材料を当該第１のｐＨ調整材料、第２のｐＨ調整材料、又はこれらの組み合わせと組み合わせて、第２の家庭用ケア組成物を提供する工程と、を含み、工程（ａ）及び（ｂ）の組み合わせが、工程（ｃ）及び（ｄ）の組み合わせと同一ではない、プロセス。
Ｂ．異なるｐＨ値を有する複数の液体家庭用ケア組成物を製造するプロセスであって、当該プロセスは、（ａ）合流ゾーンにおいて液体ベース組成物の第１の部分を第１の緩衝剤組成物と組み合わせ、それにより、第１の液体家庭用ケア組成物を得る工程であって、当該液体ベース組成物が、約１％〜約７５％の洗浄性界面活性剤を含み、当該緩衝剤の組み合わせと組み合わせる前に、約２％以下の予備アルカリ度を特徴とする工程と、（ｂ）当該液体ベース組成物の第２の部分を第２の緩衝組成物と組み合わせる工程であって、工程（ｂ）の組み合わせ工程が、工程（ａ）の合流ゾーンと同じゾーン又は異なるゾーンである合流ゾーンで行われ、工程（ｂ）の組み合わせ工程の結果、工程（ｂ）の合流ゾーンの下流の領域において第２の液体家庭ケア組成物が得られる工程と、を含み、当該第１及び第２の家庭用ケア組成物が、少なくとも２ｐＨ単位だけ異なるｐＨを特徴とする、プロセス。
Ｃ．複数の家庭用ケア組成物を製造するプロセスであって、当該プロセスは、（ａ）複数の液体ベース洗剤組成物を提供する工程であって、当該複数が少なくとも第１の液体ベース組成物及び第２の液体ベース組成物を含み、当該複数の当該液体ベース組成物が、それぞれ当該組成物の約１重量％〜約７５重量％の界面活性剤系を含み、それぞれ最大約２％予備アルカリ度を特徴とする工程と、（ｂ）複数のｐＨ調整材料を提供する工程であって、当該複数が、少なくとも第１のｐＨ調整材料及び第２のｐＨ調整材料を含む工程と、（ｃ）第１の投入材料を製造システムに提供する工程であって、当該第１の投入材料が少なくとも当該第１の液体ベース洗剤組成物を含む工程と、（ｄ）当該第１の投入材料を当該第１のｐＨ調整材料と組み合わせて、第１の家庭用ケア組成物を提供する工程と、（ｅ）第２の投入材料を当該製造システムに提供する工程であって、当該第２の投入材料が、当該第１の液体ベース組成物、当該第２の液体ベース組成物、又はこれらの組み合わせを含む工程と、（ｆ）当該第２の投入材料を当該複数のｐＨ調整材料のメンバーと組み合わせて、当該第１の家庭用ケア組成物と組成的に異なる第２の家庭用ケア組成物を提供する工程であって、当該メンバーが、当該第１のｐＨ調整材料、当該第２のｐＨ調整材料、又はこれらの組み合わせを含む工程と、を含む、プロセス。
Ｄ．複数の家庭用ケア組成物を製造するプロセスであって、当該プロセスは、（ａ）第１の液体ベース組成物及び任意選択で第２の液体ベース組成物を提供する工程であって、当該液体ベース組成物のそれぞれが、当該組成物の約１重量％〜約７５重量％の界面活性剤系を含み、当該液体ベース組成物のそれぞれが、最大約２％の予備アルカリ度を特徴とする工程と、（ｂ）第１のｐＨ調整材料及び任意選択で第２のｐＨ調整材料を提供する工程と、（ｃ）工程（ａ）からの液体ベース組成物を選択し、それを工程（ｂ）からのｐＨ調整材料と製造ライン上で組み合わせて、第１の家庭用ケア製品を形成する工程と、（ｄ）工程（ａ）からの液体ベース組成物を選択し、それを工程（ｂ）からのｐＨ調整材料と当該製造ライン上で組み合わせて、当該第１の家庭用ケア製品と組成的に異なる第２の家庭用ケア製品を形成する工程であって、工程（ｄ）の当該液体ベース組成物及び／若しくはｐＨ調整材料が、異なる種類（複数可）である、並びに／又は工程（ｃ）の当該液体ベース組成物及び／若しくは当該ｐＨ調整材料とは異なる相対量で存在する工程と、を含む、プロセス。
Ｅ．複数の家庭用ケア組成物を製造するプロセスであって、当該プロセスは、（ａ）第１の投入材料及び第１のｐＨ調整材料を製造システム上で組み合わせて、第１の家庭用ケア組成物を形成する工程と、（ｂ）第２の投入材料及び第２のｐＨ調整材料を当該製造システム上で組み合わせて、当該第１の家庭用ケア組成物とは異なる第２の家庭用ケア組成物を形成する工程と、を含み、（ｃ）当該第１の投入材料及び当該第２の投入材料が、それぞれ独立して、第１の液体ベース組成物、第２の液体ベース組成物、又はこれらの混合物を含み、当該第１の液体ベース組成物及び当該第２の液体ベース組成物が、それぞれ独立して、当該液体ベース組成物の約１重量％〜約７５重量％の界面活性剤系を含み、当該第１及び第２の液体ベース組成物が、それぞれ独立して、約２％以下の予備アルカリ度を特徴とし、当該第１及び第２の液体ベース組成物が、同じであっても異なっていてもよく、当該第１及び第２のｐＨ調整材料が、同じであっても異なっていてもよい、プロセス。
Ｆ．異なるｐＨ値を有する複数の液体家庭用ケア組成物を製造するプロセスであって、当該プロセスは、（ａ）約２％以下の予備アルカリ度を有する液体ベース組成物を提供する工程であって、当該ベース組成物が、約１％〜約７５％の洗浄性界面活性剤を含む工程と、（ｂ）第１の緩衝組成物を第１の量の当該液体ベース組成物と組み合わせて、第１のｐＨを有する第１の液体家庭用ケア組成物を提供する工程と、（ｃ）第２の緩衝剤組成物を第２の量の当該液体ベース組成物と組み合わせて、第２のｐＨを有する第２の液体家庭用ケア組成物を提供する工程であって、当該第１のｐＨが、少なくとも約１ｐＨ単位だけ当該第２のｐＨと異なる工程と、を含む、プロセス。
Ｇ．当該第２の投入材料が、当該第１の液体ベース組成物を含む、段落Ａ〜Ｆのいずれか１つに記載のプロセス。
Ｈ．当該第２の投入材料が、当該第２の液体ベース組成物を含む、段落Ａ〜Ｇのいずれか１つに記載のプロセス。
Ｉ．当該製造システムが、閉鎖された中央パイプ、バッチタンク、コンベアシステム、又はこれらの組み合わせを含む、段落Ａ〜Ｈのいずれか１つに記載のプロセス。
Ｊ．当該第１の投入材料が、当該製造システム上の第１の容器に提供され、当該第２の投入材料が、当該製造システム上の第２の容器に提供される、段落Ａ〜Ｉのいずれか１つに記載のプロセス。
Ｋ．当該製造システムが、当該第１の投入材料の提供と当該第２の投入材料の提供との間に組成物で洗い流され、好ましくは組成物で洗い流され、より好ましくは当該第２の投入材料中にも存在する液体ベース組成物で洗い流される、段落Ａ〜Ｊのいずれか１つに記載のプロセス。
Ｌ．当該第１及び第２の液体ベース組成物の当該界面活性剤系が、それぞれ独立して、アニオン性界面活性剤、非イオン性界面活性剤、双性イオン性界面活性剤、又はこれらの混合物を含む洗浄性界面活性剤を含む、段落Ａ〜Ｋのいずれか１つに記載のプロセス。
Ｍ．以下：当該アニオン性界面活性剤は、直鎖及び／若しくは分枝鎖アルコキシル化アルキルサルフェート、直鎖及び／若しくは分枝鎖アルキルベンゼンスルホネート、又はこれらの混合物から選択される、並びに／あるいは当該非イオン性界面活性剤は、エトキシル化アルコールを含む、並びに／あるいは当該双性イオン性界面活性剤は、アミンオキシドを含む、のうちの少なくとも１つが当てはまる、段落Ａ〜Ｌのいずれか１つに記載のプロセス。
Ｎ．当該第１及び／又は第２の液体ベース組成物の当該界面活性剤系のうちの少なくとも１つが、主要な界面活性剤成分としてアニオン性アルコキシル化アルキルサルフェートを含む、段落Ａ〜Ｍのいずれか１つに記載のプロセス。
Ｏ．当該第１及び／又は第２の液体ベース組成物の当該界面活性剤系のうちの少なくとも１つが、主要な界面活性剤成分としてアニオン性アルキルベンゼンスルホネートを含む、段落Ａ〜Ｎのいずれか１つに記載のプロセス。
Ｐ．当該第１及び／又は第２の液体ベース組成物が、約０．１％〜約２．２５％、又は約０．１％〜約２．０％、又は約０．１％〜約１．５％、又は約０．１％〜約１．０％の予備アルカリ度を有する、段落Ａ〜Ｏのいずれか１つに記載のプロセス。
Ｑ．当該第１のｐＨ調整材料及び／又は当該第２のｐＨ調整材料が、非界面活性剤有機酸、ホウ酸化合物、脂肪酸、アルカノールアミン、苛性水酸化物化合物、炭酸塩、ゼオライト、及びこれらの混合物からなる群から独立して選択される材料を含む、段落Ａ〜Ｐのいずれか１つに記載のプロセス。
Ｒ．当該第１のｐＨ調整材料が、第１の緩衝剤を含み、かつ、当該第１の家庭用ケア組成物が、当該第１の家庭用ケア組成物の約１重量％〜約２５重量％の当該第１の緩衝剤を含むように十分な量で当該第１の投入材料に添加される、又は当該第２のｐＨ調整材料が、第２の緩衝剤を含み、かつ、当該第２の家庭用ケア組成物が、当該第２の家庭用ケア組成物の約１重量％〜約２５重量％の当該第２の緩衝剤を含むように十分な量で当該第２の投入材料に添加される、又はその両方である、段落Ａ〜Ｑのいずれか１つに記載のプロセス。
Ｓ．当該第１の液体ベース組成物及び／又は当該第２の液体ベース組成物が、好ましくは両方が、少なくとも約９、又は約９〜約１３、又は約１０〜約１３、又は約１１〜約１３、又は約１１〜約１２のｐＨを特徴とする、段落Ａ〜Ｒのいずれか１つに記載のプロセス。
Ｔ．当該第１の家庭用ケア組成物が、第１のｐＨを特徴とし、当該第２の家庭用ケア組成物が、当該第１のｐＨとは異なる第２のｐＨを特徴とし、好ましくは、当該第２のｐＨが、当該第１のｐＨと少なくとも１ｐＨ単位異なる、段落Ａ〜Ｓのいずれか１つに記載のプロセス。
Ｕ．当該第１の家庭用ケア組成物が、約７．５以上、好ましくは約７．５〜約１０、より好ましくは約７．５〜約８．５の第１のｐＨを特徴とする、又は当該第２の家庭用ケア組成物が、約６．５以下、好ましくは約２〜約６．５、より好ましくは約２．５〜約５である第２のｐＨを特徴とする、又はその両方である、段落Ａ〜Ｔのいずれか１つに記載のプロセス。
Ｖ．当該プロセスが、１つ以上の補助剤を、独立して、当該第１の投入材料、当該第２の投入材料、又は両方に添加する、少なくとも１つの追加工程を更に含む、段落Ａ〜Ｕのいずれか１つに記載のプロセス。
Ｗ．当該１つ以上の補助剤が、構造化剤、ビルダー、有機高分子化合物、酵素、酵素安定剤、漂白系、増白剤、色相剤、キレート剤、抑泡剤、コンディショニング剤、保湿剤、未希釈香料、香料封入体、充填剤若しくは担体、又はこれらの混合物を含む、段落Ａ〜Ｖのいずれか１つに記載のプロセス。
Ｘ．当該第１の投入材料及び／又は当該第２の投入材料が、第３の液体ベース組成物を更に含み、当該第３の液体ベース組成物が、当該第２の液体ベース組成物の約１重量％〜約７５重量％の界面活性剤系を含み、当該第３の液体ベース組成物が、約２％以下の予備アルカリ度を更に特徴とし、当該第３の液体ベース組成物が、当該第１及び第２の液体ベース組成物と組成的に異なる、段落Ａ〜Ｗのいずれか１つに記載のプロセス。
Ｙ．当該第１及び第２の家庭用ケア組成物が、独立して、洗濯洗剤組成物、布地前処理組成物、布地柔軟剤組成物、食器ケア組成物、又はこれらの組み合わせから選択される、段落Ａ〜Ｘのいずれか１つに記載のプロセス。
Ｚ．当該プロセスから製造される当該複数の液体家庭用ケア組成物が、当該プロセスで使用される液体ベース組成物ごとに少なくとも３つ、好ましくは少なくとも４つ、より好ましくは少なくとも５つの家庭用ケア組成物を含む、段落Ａ〜Ｙのいずれか１つに記載のプロセス。
【０１０６】
試験方法
予備アルカリ度（「ＲＡ」）
以下の方法を使用して、本開示による組成物、例えば、ベース組成物の予備アルカリ度（「ＲＡ」）を求める。
【０１０７】
まず、ベース組成物のサンプルを５ｇ提供し、４５ｇのＤＩ水で希釈する。この希釈された組成物のｐＨを、「処方ｐＨ」値と称する。処方ｐＨが３を超える場合、次に、希釈された組成物で３以下のｐＨ値が測定されるまで、約０．０１ｍＬの量のＨＣｌ（０．１Ｎ）で溶液ｐＨを調整する自動滴定装置に、この希釈された組成物を入れる。自動滴定結果を表にして、ＨＣｌの各添加後に測定された、得られた溶液ｐＨに対する、添加されたＨＣｌのミリリットル（したがってモル）の表を作成する。ｐＨを３から処方ｐＨ値にシフトさせるために、希釈された組成物に必要とされるＮａＯＨの％当量を求めるために、表形式の自動滴定データを以下の計算において使用する。
【０１０８】
【数１】
2021515827.tif 000004
式中、
ｍＬ  ＨＣｌは、ｐＨ３を達成するために添加されたＨＣｌの容積であり、ミリリットル単位で表される。
Ｎ．ＨＣｌは、添加されたＨＣｌの濃度であり、規定単位で表される。
サンプル重量（ｇ）は、未希釈のベース組成物のサンプルの質量（グラム）である。
「４０」は、ＮａＯＨのモル質量（ｇ／ｍｏｌ）を表す。
【０１０９】
測定された処方ｐＨ値が３以下である場合、用語「％ＮａＯＨＤｏｗｎ」の値はゼロであると指定する。
【０１１０】
測定された処方ｐＨ値が１１未満である場合、「％ＮａＯＨＵｐ」という用語の値を求めるために、第２の滴定工程が必要とされる。第２の５ｇのベース組成物のサンプルを４５ｇのＤＩ水で希釈し、次いで、自動滴定機に入れる。このとき、測定された溶液のｐＨが少なくとも１１になるまで、０．０１ｍＬの量のＮａＯＨ（０．１Ｎ）で溶液を調整する。この第２の自動滴定シリーズからの結果を、以下の計算で使用する。％ＲＡ寄与率は、溶液を処方ｐＨ値からｐＨ１１まで動かすために溶液中に必要とされるＮａＯＨの％当量を求めることによって求められる。（注記：ここでの％ＲＡ寄与率は、ｐＨを１１から処方ｐＨまで下げるために、ベース溶液から「除去」される必要のあるＮａＯＨを表すので、負の数である。）
【０１１１】
【数２】
2021515827.tif 000005
式中、
ｍＬ  ＮａＯＨは、ｐＨ１１を達成するために添加されたＮａＯＨの容積であり、ミリリットル単位である。
Ｎ．ＮａＯＨは、添加されたＮａＯＨの濃度であり、規定単位で表される。
サンプル重量（ｇ）は、未希釈のベース組成物のサンプルの質量（グラム）である
「４０」は、ＮａＯＨのモル質量（ｇ／ｍｏｌ）を表す。
【０１１２】
測定された処方ｐＨ値が１１以上である場合、用語「％ＮａＯＨＵｐ」の値はゼロであると指定する。
【０１１３】
上記２つの工程を組み合わせて、溶液をｐＨ３からｐＨ１１まで動かすのに等しいＮａＯＨの量を求める。
％ＲＡ＝％ＮａＯＨＤｏｗｎ−％ＮａＯＨＵｐ
【０１１４】
組成物について報告されるＲＡ値は、上記で提供された単純な減算式に従ってＲＡ％の計算から得られる値である。最終ＲＡ値（％ＲＡ）は、百分率（％）として表される。
【０１１５】
ｐＨ
本明細書において特に明記しない限り、組成物のｐＨは、２０±２℃における組成物の１０％水溶液のｐＨとして定義される。ｐＨを±０．０１ｐＨ単位まで測定することができる任意の計測器が好適である。Ｏｒｉｏｎ  ｍｅｔｅｒｓ（Ｔｈｅｒｍｏ  Ｓｃｉｅｎｔｉｆｉｃ，Ｃｌｉｎｔｉｎｐａｒｋ−Ｋｅｐｐｅｋｏｕｔｅｒ，Ｎｉｎｏｖｅｓｔｅｅｎｗｅｇ  １９８，９３２０  Ｅｒｅｍｂｏｄｅｇｅｍ−Ａａｌｓｔ，Ｂｅｌｇｉｕｍ）又は均等物が、許容可能な計器である。ｐＨ計は、カロメル又は銀／塩化銀基準を有する適切なガラス電極を備えていなければならない。例としては、Ｍｅｔｔｌｅｒ  ＤＢ  １１５が挙げられる。電極は、メーカーが推奨する電解質溶液中で保管する必要がある。ｐＨは、ｐＨ計メーカーの標準手順に従い測定される。更に、ｐＨアセンブリを設定して較正するためのメーカーの指示に従う必要がある。
【０１１６】
粘度
粘度は、製造業者の指示に従って、Ｂｒｏｏｋｆｉｅｌｄ  ＲＶＤ  ＶＩＩ＋などの粘度計で測定される。粘度は、スピンドル＃３１を６０ｒｐｍで回転させて、約２０ｓ−１の剪断速度を得る、カップ及びボブ形状の構成を使用して２１℃で測定する。
【０１１７】
本開示の液体組成物（液体ベース組成物及び／又は液体家庭用ケア組成物を含む）は、独立して、２１℃及び２０ｓ−１の剪断速度で、約１００〜約２０００ｍＰａ＊ｓ、又は約２００〜約１０００ｍＰａ＊ｓ、又は約３００〜約８００ｍＰａ＊ｓの粘度を特徴とし得る。組成物は、独立して、２１℃及び２０ｓ−１で測定された、５００ｃｐｓ超の粘度を有し得る。
【実施例】
【０１１８】
以下に提供する実施例は、事実上例示を意図するものであり、限定を意図するものではない。
【０１１９】
実施例１．異なる緩衝剤を含む類似のベースを使用した、異なるｐＨでの家庭用洗浄組成物の生産
製品Ａは、低ｐＨの低界面活性剤組成物であり、６０部のベース１を１５部の緩衝剤１（及び２５部の微量成分、溶媒、及び担体）と組み合わせることによって製造される。製品Ｂは、従来のｐＨの低界面活性剤組成物であり、６０部のベース１を１０部の緩衝剤２（及び３０部の微量成分、溶媒、及び担体）と組み合わせることによって製造される。
【０１２０】
【表２】
2021515827.tif 000006
【０１２１】
実施例２．異なる緩衝剤を含む異なるベースを使用した、異なるｐＨでの家庭用洗浄組成物の生産
製品Ａは、ＡＥＳ界面活性剤リッチな低ｐＨ組成物であり、６０部のベース１を１５部の緩衝剤１（及び２５部の微量成分、溶媒、及び担体）と組み合わせることによって製造される。製品Ｃは、従来のｐＨのＬＡＳリッチな組成物であり、５０部のベース２を１０部の緩衝剤２（及び４０部の微量成分、溶媒、及び担体）と組み合わせることによって製造される。
【０１２２】
【表３】
2021515827.tif 000007
【０１２３】
実施例３．複数の緩衝剤を含む複数のベースを使用した、異なるｐＨでの家庭用洗浄組成物の生産
製品Ｄ及びＥは、同様の（従来の）ｐＨで処方され、両方ともホウ酸緩衝剤を含み、製品Ｅは脂肪酸を更に含む。製品Ｄは、２０部のベース１、３０部のベース３、及び１０部の緩衝剤２（及び４０部の微量成分、溶媒、及び担体）を組み合わせることによって製造される。製品Ｅは、２５部のベース１、２５部のベース３、５部の緩衝剤２、及び１５部の緩衝剤３（及び３０部の微量成分、溶媒、及び担体）を組み合わせることによって製造される。
【０１２４】
【表４】
2021515827.tif 000008
【０１２５】
実施例４．例示的な組み合わせ。
以下の表４は、本明細書に記載のプロセスで使用され得る、液体ベース組成物及びｐＨ調整材料の例示的で非限定的な組み合わせを示す。以下の実施例は、必ずしも特定の処方又は量に関係するものではないが、表４は、本開示で想到される様々な組み合わせの一部を概念的に示す。表４において、「Ｘ」は、所与の組み合わせの一部として材料を添加したことを示す。
【０１２６】
【表５】
2021515827.tif 000009
【０１２７】
上記の投入から得られる製品は、添加される追加の補助剤、使用されるｐＨ調整材料、使用される追加の液体ベース組成物、並びにベース組成物がｐＨ調整材料、補助剤、及び／又は互いと組み合わされる比率によって更に差異化することができる。
【０１２８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１２９】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１３０】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021515827.tif 000010
【図２】
2021515827.tif 000011
【図３】
2021515827.tif 000012
【図４】
2021515827.tif 000013
【図５】
2021515827.tif 000014
【図６】
2021515827.tif 000015
【国際調査報告】
2021515827.tif 000016
2021515827.tif 000017
2021515827.tif 000018